(57)【要約】  【課題】凹凸形状部を有する壁パネル表面上のエフロ等の付着物を除去し、且つ、該壁パネルの表面に生じる光影を可及的に抑制する。  【解決手段】本考案は、壁パネル１に設けられている凹凸形状部３表面にショットブラスト処理又はサンドブラスト処理により微細凹凸面が形成され、該微細凹凸面は、光の乱反射により各入射光を相互に消去し合う程度の表面粗さを有するように構成して成る壁パネル１を提供する。【選択図】  図１
0003104822.tif 000002
【実用新案登録請求の範囲】
【請求項１】
凹凸形状部を有するセメント系の押出成形板から成る壁パネルに於いて、該壁パネルの前記凹凸形状部表面にショットブラスト処理又はサンドブラスト処理により微細凹凸面が形成され、該微細凹凸面は、光が乱反射して相互に消去し合う程度の表面粗さを有することを特徴とする壁パネル。
【考案の詳細な説明】
【技術分野】
【０００１】
本考案は、建築物又は工作物等の壁材として使用される壁パネルに関するものであり、特に、凹凸形状部を有する押出成形板から成る壁パネルに関するものである。
【背景技術】
【０００２】
従来、建築物の外壁等に用いられる壁パネルとしては、セメント系の押出成形板を材質としたものがある。この種壁パネルは、無機質繊維、セメント及び水等を混合し、これを押出成形して作製される。そして、押出成形後に、該パネル表面に付着しているエフロ（水酸化カルシウム）等を除去するために、該パネル表面に研磨処理が施される。この場合の研磨手段としては、例えば、特許文献１に記載されているように、円柱状体の外周面に硬質研磨粒を固定させた回転研磨体が用いられる。
【特許文献１】特開平０６−１２６６０３号公報
【考案の開示】
【考案が解決しようとする課題】
【０００３】
上記特許文献１記載の回転研磨体を用いた表面処理においては、上記壁パネルの表面形状が平坦である場合は、該研磨処理により該パネル表面上の付着物を除去しうるが、前記壁パネルの表面形状が凹凸を呈する場合は、該パネル表面の凹部に対し前記研磨処理を効率良く実行できないので、該凹部の表面上の付着物を除去することが困難になる。従って、前記壁パネルの表面にエフロ等の付着物が残存し、該残存部分が白くなって付着している。又、前記研磨手段を用いた表面処理では、処理面に当たった光線が相互に干渉すること無く反射するため、前記パネル表面に光の影が生じて、視覚的認識に悪影響を与える等の問題があった。
【０００４】
そこで、凹凸形状部を有する壁パネル表面上のエフロ等を除去すると共に、該壁パネルの表面に光の影が生じないようにするために解決すべき技術的課題が生じてくるのであり、本考案は該課題を解決することを目的とする。
【課題を解決するための手段】
【０００５】
本考案は上記目的を達成するために提案されたものであり、凹凸形状部を有するセメント系の押出成形板から成る壁パネルに於いて、該壁パネルの前記凹凸形状部表面にショットブラスト処理又はサンドブラスト処理により微細凹凸面が形成され、該微細凹凸面は、光が乱反射して相互に消去し合う程度の表面粗さを有する壁パネルを提供する。
【０００６】
この構成によれば、ショットブラスト処理又はサンドブラスト処理により前記壁パネルの表面に前記微細凹凸面を形成したことにより、前記壁パネルが前記凹凸形状部を有する場合であっても、ショットブラスト機又はサンドブラスト機から噴射される研削材（噴射材）が前記壁パネルの凹部まで到達し、該研削材による表面処理が行える。
【０００７】
又、該微細凹凸面の表面粗さは、該微細凹凸面を乱反射する光線が相互に干渉して消去し合う程度に形成されるので、前記壁パネルの表面において光の影が生じることがなくなる。
【考案の効果】
【０００８】
本考案は、前記ショットブラスト機又はサンドブラスト機から噴射される研削材が凹凸形状部の凹部まで到達するので、前記壁パネルが該凹凸形状部を有する形状であっても、凸部の表面と同様に凹部の表面にもショットブラスト処理又はサンドブラスト処理を良好に実施して、該凸部及び凹部の表面上に存在するエフロ等の不要物を確実に除去することができる。
【０００９】
又、前記パネルの微細凹凸面で反射する多数の光線が互いに打ち消し合うことにより、前記壁パネル表面に光の影の濃淡模様が生じることがなくなるので、壁パネルに対する視覚的美感が向上する。
【考案を実施するための最良の形態】
【００１０】
本考案は、凹凸形状部を有する押出成形板から成る壁パネルに於いて、該壁パネルの凹前記凸形状部表面にショットブラスト処理又はサンドブラスト処理により微細凹凸面を形成し、該微細凹凸面の表面粗さを、光線が乱反射して相互に消去し合う程度に仕上げることにより実現した。
【実施例】
【００１１】
以下、本考案の一実施の形態を図１及び図２に従って説明する。図中、１は外壁や間仕切り壁等の建築資材として使用される壁パネルであり、予め工場においてユニット生産されたものである。前記壁パネル１は、横方向へ平行に延びる複数の中空部２，２，・・・を有し、軽量な中空構造に形成されている。又、前記壁パネル１は、所要の強度、耐候性、耐火性、耐震性等を有し、建物躯体側の柱、梁等にアングル（図示せず）を介して、ボルト締結により取り付けられる。
【００１２】
前記壁パネル１は、凹凸形状部３を有するセメント系の押出成形板から成り、凹凸模様の美観と意匠性を兼ね備えている。このため、該壁パネル１は、それ自体をそのまま化粧板として使用することができる。
【００１３】
前記壁パネル１の表面には、該壁パネル１の縦方向（図１の上下方向）において所定間隔おきに複数の凹溝（凹部）４，４，・・・及び複数の凸条（凸部）５，５，・・・が交互に設けられて凹凸形状部３を形成している。
【００１４】
前記壁パネル１は、例えば、次の押出成形法に従って製造される。即ち、無機質繊維、セメント、混和材及び水を所定の割合で混合し、該混合物を押出成形機に注入して押出成形する。次に、該押出成形品を所定条件下に所定時間だけ養生して硬化させた後、これを切断することにより所定寸法の前記壁パネル１を製造する。
【００１５】
この後、該壁パネル１の表面に存在するエフロ、スケール等の付着物を除去するために、ショットブラスト又はサンドブラストにより表面処理を施す。即ち、ショットブラスト機又はサンドブラスト機を用いて研削材（噴射材）を前記壁パネル１の凹凸形状部３表面に噴射させることにより、前記凹凸形状部３の表面に微細凹凸面を形成する。この場合、該微細凹凸面の表面粗さは、該微細凹凸面に入射した光線が多方向に乱反射して、相互に干渉して打ち消し合う程度の表面粗さに仕上げる。
【００１６】
本実施例によれば、前記壁パネル１にショットブラスト又はサンドブラストにより研削材を噴射して表面処理を施したので、該研削材は、該壁パネル１の前記凸条５，５，・・・の表面だけでなく前記凹溝４，４，・・・の表面にも確実に到達して、効果的な表面処理が実行される。従って、前記壁パネル１の形状が凹凸形状部３を有する場合でも、目的とする表面処理を確実に実施でき、該表面に付着していたエフロ等を除去することができる。尚、前記研削材の種類としては、鋳鉄、ステンレス、アルミ、亜鉛及び銅等の非鉄金属、アルミナ、炭素ケイ素、ガラス、ナイロン、ポリカーボネート、アクリル樹脂、ユリア樹脂、メラミン樹脂等の樹脂、杏、クルミ、桃等の種子等及びトウモロコシの芯を粉砕したもの、珪砂等の砂類、セラミック、ビーズ、ジルコニア、スラグ、炭酸カルシウム、重曹、ポリカーボネート等の種類があり、又、該研削材の形状としては、球状、鋭角状及びカットワイヤー状等がある。
【００１７】
又、本実施例によれば、前記壁パネル１の表面にはショットブラスト処理又はサンドブラスト処理により微細凹凸面が形成され、該微細凹凸面に入射した光線は、多方向に乱反射して相互に屈折干渉し合うので、該光線の打ち消し作用により、前記壁パネル１の表面には光影が各所に生じることがなくなる。従って、従来に比べて壁パネル１の外観体裁が良くなり、該壁パネル１の製品価値が向上する。
【００１８】
本考案は上記実施例に限定さるべきではなく、例えば、上記実施例では、凹凸形状部の断面形状はコ字形に形成したが、へ字形、台形形、波形、エンボス形状、平面状等の他の断面形状に形成しても良い。
【００１９】
尚、本考案は、本考案の精神を逸脱しない限り種々の改変を為すことができ、そして、本考案が該改変されたものに及ぶことは当然である。
【図面の簡単な説明】
【００２０】
【図１】本考案の一実施の形態を示し、壁パネルの斜視図。
【図２】図１のＡ−Ａ線断面図。
【符号の説明】
【００２１】
１        壁パネル
２        中空部
３        凹凸形状部
４        凹溝（凹部）
５        凸条（凸部）
【図１】
0003104822.tif 000003
【図２】
0003104822.tif 000004
【手続補正書】
【提出日】平成16年6月2日(2004.6.2)
【手続補正１】
【補正対象書類名】実用新案登録請求の範囲
【補正対象項目名】請求項１
【補正方法】変更
【補正の内容】
【請求項１】
押出成形機によって押出成形される壁パネルであって、該壁パネルは表面が前記押出成形方向に縦溝が複数凹設されて凹凸形状表面が形成されて成る壁パネルに於いて、該壁パネルの前記凹凸形状表面にショットブラスト処理又はサンドブラスト処理により微細凹凸面が形成され、該微細凹凸面は、光が乱反射して相互に消去し合う程度の表面粗さを有することを特徴とする壁パネル。
【手続補正２】
【補正対象書類名】明細書
【補正対象項目名】０００５
【補正方法】変更
【補正の内容】
【０００５】
本考案は上記目的を達成するために提案されたものであり、押出成形機によって押出成形される壁パネルであって、該壁パネルは表面が前記押出成形方向に縦溝が複数凹設されて凹凸形状表面が形成されて成る壁パネルに於いて、該壁パネルの前記凹凸形状表面にショットブラスト処理又はサンドブラスト処理により微細凹凸面が形成され、該微細凹凸面は、光が乱反射して相互に消去し合う程度の表面粗さを有することを特徴とする壁パネルを提供する。